(57)【特許請求の範囲】
【請求項１】
六面体を構成するフレーム枠部材と、
前記フレーム枠部材の左右の側面部に張設され、内面が、光を均一に反射する反射面を有する左右一対の側方反射シート部材と、
前記フレーム枠部材の上面部に張設され、上方からの照明光を透過拡散可能な上部拡散シート部材とを備え、
前記フレーム枠部材が、折曲可能で且つ元の形状に伸張復帰自在な部材からなり、
撮影システムボックスを設営する際には、拡げることによってフレーム枠部材が自動的に拡開して、元の形状に伸張復帰して、六面体を構成して、
側面部に光を反射する側方反射シート部材が位置し、上面部に照明光を透過拡散可能な上部拡散シート部材がセットされた状態となり、
前面に撮影用前面開口部を有し、後面にバックシート部材を張設可能な後面開口部を有する撮影空間が内部に形成され、
撮影が終了した後には、フレーム枠部材を、折り畳むことによって、撮影用システムボックス全体をコンパクトに収納可能なように構成したことを特徴とする撮影用システムボックス。
【発明の詳細な説明】
【０００１】
【発明の属する技術分野】
本発明は、スタジオなどにおいて、写真撮影の際に、被写体に適切なライティングを行うために使用する撮影用システムボックスに関する。
【０００２】
【従来の技術】
従来、写真スタジオなどで、人物、静物などの被写体を撮影する場合には、被写体に照射する光のトーンを和らげ、均一に照明光をあてるために、以下のような撮影セットの設営準備をするのが一般的である。
すなわち、図８に示したように、スタジオ内に固定したロール１０４から黒ケント紙などのバック紙１０６を床１０８まで垂れ下がるように張設し、その上に被写体１０２が配置される。そして、その両側部には、白レフ板などの反射板１１０、１１２を配置するとともに、その上面に乳白フィルム、トレーシングペーパなどの光を透過して拡散するディフューザー１１４を設置し、その上方に照明１１６、１１８を配置して、このディフューザー１１４を介して、被写体１０２上に均一な拡散光を照射して、撮影用カメラ１２０にて撮影するようにしている。
【発明が解決しようとする課題】
しかしながら、撮影の度に、このように、バック紙１０６、反射板１１０、１１２、ならびにディフューザー１１４を所定の位置に設置し、また、撮影が終了する度にこれを撤去しなければならず、煩雑で手間のかかる作業が必要で、設営のための時間あるいはスタッフを多数必要とし、コストが高くなることにもつながっていた。
【０００３】
本発明は、このような現状に鑑みて、写真スタジオなどで、人物、静物を撮影する場合に、従来の反射板、ディフューザー、ならびにバック紙と機能する部材を簡単に所定位置に配置できるとともに、撮影終了後にこれらを簡単に撤去可能で、運搬の際にも嵩張らない拡開設営ならびに折り畳み収納自在に構成された撮影用システムボックスを提供することを目的とする。
【０００４】
【課題を解決するための手段】
本発明は、前述したような従来技術における課題および目的を達成するために発明なされたものであって、本発明の撮影用システムボックスは、
六面体を構成するフレーム枠部材と、
前記フレーム枠部材の左右の側面部に張設され、内面が、光を均一に反射する反射面を有する左右一対の側方反射シート部材と、
前記フレーム枠部材の上面部に張設され、上方からの照明光を透過拡散可能な上部拡散シート部材とを備え、
前記フレーム枠部材が、折曲可能で且つ元の形状に伸張復帰自在な部材からなり、
撮影システムボックスを設営する際には、拡げることによってフレーム枠部材が自動的に拡開して、元の形状に伸張復帰して、六面体を構成して、
側面部に光を反射する側方反射シート部材が位置し、上面部に照明光を透過拡散可能な上部拡散シート部材がセットされた状態となり、
前面に撮影用前面開口部を有し、後面にバックシート部材を張設可能な後面開口部を有する撮影空間が内部に形成され、
撮影が終了した後には、フレーム枠部材を、折り畳むことによって、撮影用システムボックス全体をコンパクトに収納可能なように構成したことを特徴とする。
【０００５】
このように構成されることによって、本発明の撮影用システムボックスは、コンパクトに折り畳み収納した状態から、撮影に使用する際に、拡げることによってフレーム枠部材が自動的に拡開して、元の形状に伸張復帰して多面体が構成される。これにより、側面部に光を反射する側方反射シート部材が位置し、上面部に照明光を透過拡散可能な上部拡散シート部材がセットされた状態となり、その内部に撮影空間が形成される。
【０００６】
そして、底部前方のフレーム枠部材から立ち上がって、後方上部のフレーム枠部材に至るバックシート部材を後方側面部を介して張設配置することもできる。このバックシート部材の上面に人物、静物などの被写体を配置し、上部拡散シート部材の外側上方から、照明光を照射することにより、上部拡散シート部材を透過した照明光が、柔らかい光となるとともに、撮影空間内部において均一に拡散され、また、側部の側方反射シート部材によって反射され、被写体全面に照明光が均一に拡散照射されて、極めて良好な撮影状態が維持された撮影セットが設営されることになる。
【０００７】
一方、撮影が終了した後には、バックシート部材を取り除き、フレーム枠部材を折り畳むだけで、簡単に撮影用システムボックス全体をコンパクトに収納することができる。
【０００８】
【発明の実施の形態】
以下、本発明の実施の形態（実施例）を図面に基づいてより詳細に説明する。
図１は、本発明の撮影用システムボックスの第１の実施例の分解斜視図、図２は、図１の撮影用システムボックスの拡開した状態を説明する斜視図、図３は、本発明の撮影用システムボックスの使用状態を説明する概略斜視図、図４は、本発明の撮影用システムボックスの収納方法を説明する概略図である。
【０００９】
図１〜図４において、１０は、全体で本発明の撮影用システムボックスを示している。
図１に示したように、撮影用システムボックス１０は、４つの略矩形状のフレーム枠部材１２、１４、１６、１８からなるフレーム枠部材２０を備えており、これにより六面体を構成するようになっている。
【００１０】
すなわち、フレーム枠部材２０は、前方の側面部に配置した前方フレーム枠部材１２と、一対の左右側面部に配置した側方フレーム枠部材１４、１６と、後方の側面部に配置した後方フレーム枠部材１８とから構成されている。
そして、左右の側方フレーム枠部材１４、１６にはそれぞれ、左右の側方反射シート部材２２、２４が取着されている。
【００１１】
具体的には、これらの側方反射シート部材２２、２４は、図１に示したように、略矩形状の側方反射シート部材本体２２ａ、２４ａを有し、その４辺にそれぞれ縫い代部２２ｂ〜２２ｅ、２４ｂ〜２４ｅが形成されている。
そして、左側の側方反射シート部材２２では、図１の▲１▼で示したように、上部縫い代部２２ｂが、左側の側方フレーム枠部材１４の上部フレーム１４ｂを包むように外方より折り返して縫いつけられる。また、前部縫い代部２２ｃが、左側の側方フレーム枠部材１４の前方フレーム１４ｃと前方フレーム枠部材１２の左側フレーム１２ｃとを包むように外方より折り返して縫いつけられる。下部縫い代部２２ｄが、左側の側方フレーム枠部材１４の下方フレーム１４ｄを包むように外方より折り返して縫いつけられる。さらに、後部縫い代部２２ｅが、左側の側方フレーム枠部材１４の後方フレーム１４ｅと後方フレーム枠部材１８の左側フレーム１８ｅとを包むように外方より折り返して縫いつけられる。
【００１２】
一方、右側の側方反射シート部材２４では、図１の▲２▼で示したように、上部縫い代部２４ｂが、右側の側方フレーム枠部材１６の上部フレーム１６ｂを包むように外方より折り返して縫いつけられる。また、前部縫い代部２４ｅが、右側の側方フレーム枠部材１６の前方フレーム１６ｅと前方フレーム枠部材１２の右側フレーム１２ｅとを包むように外方より折り返して縫いつけられる。下部縫い代部２４ｄが、右側の側方フレーム枠部材１６の下方フレーム１６ｄを包むように外方より折り返して縫いつけられる。さらに、後部縫い代部２４ｃが、右側の側方フレーム枠部材１６の後方フレーム１６ｃと後方フレーム枠部材１８の右側フレーム１８ｃとを包むように外方より折り返して縫いつけられる。
【００１３】
さらに、フレーム枠部材１２、１４、１６、１８からなるフレーム枠部材２０から構成される六面体の上面の位置には、上部拡散シート部材２６が、これらのフレーム枠部材に取着されている。
すなわち、上部拡散シート部材２６は、図１に示したように、略矩形状の側方反射シート部材本体２６ａを有し、その４辺にそれぞれ縫い代部２６ｂ〜２６ｅが形成されているとともに、四隅に縫い代部２６ｆ〜２６ｉが形成されている。
【００１４】
そして、図１の▲３▼で示したように、前方縫い代部２６ｂが、前方フレーム枠部材１２の上部フレーム１２ｂを包むように外方より折り返して縫いつけられる。また、後部縫い代部２６ｅが、後方フレーム枠部材１８の上部フレーム１８ｂを包むように外方より折り返して縫いつけられる。
そして、左側縫い代部２６ｅが、左側の側方フレーム枠部材１４の上部フレーム１４ｂを外方より越えて、左側の側方反射シート部材２２の上部縫い代部２２ｂ近傍に縫いつけられる。同様にして、右側縫い代部２６ｃが、右側の側方フレーム枠部材１６の上部フレーム１６ｂを外方より越えて、右側の側方反射シート部材２４の上部縫い代部２２ｂ近傍に縫いつけられる。さらに、四隅に形成した縫い代部２６ｆ〜２６ｉをそれぞれ、フレーム枠部材２０の、フレーム枠部材１２、１４、１６、１８の接合部上部に縫いつける。
【００１５】
このようにして、図１及び図２に示したように、前面に前面開口部２８が、後面に後面開口部３０が、底面に底面開口部３２を有し、内部に撮影空間３４が形成されることになる。
ところで、左右側面部の側方反射シート部材２２、２４は、その側方反射シート部材本体２２ａ、２４ａの内面が、光を均一に反射する反射面となっている。また、これらの側方反射シート部材２２、２４の外側面は、遮光性を有するように構成されている。
【００１６】
このような反射面を形成する方法としては、特に限定されるものではなく、例えば、側方反射シート部材２２、２４の内面に、銀を蒸着したもの、または、不織布などの白布を貼着したもの、側方反射シート部材２２、２４自体をこれらの白布としたもの、さらに、側方反射シート部材２２、２４自体を、反射フィルムで構成するなど種々の方法が採用可能である。
【００１７】
なお、これら側方反射シート部材２２、２４を通常のシート部材として、その内面に上記したような反射材膜を脱着自在に取着するようにしても勿論構わない。
また、上部拡散シート部材２６は、その上方から照明光を照射した際に、照明光を透過するとともに拡散可能な部材から構成されている。このような部材としては、特に限定されるものではなく、例えば、麻布、絹布などのシート部材、合成樹脂ビーズ粒子を含有した拡散フィルムなど種々のものが採用可能である。
【００１８】
さらに、フレーム枠部材２０を構成するフレーム枠部材１２、１４、１６、１８は、折曲可能で且つ元の形状に伸張復帰自在な部材から構成される。このような材料としては、特に限定されるものではなく、ある程度バネ性を有する、例えば、スチール線材、ワイヤー材、プラスチック線材などが採用可能である。
また、上記実施例では、縫い代部を設けてフレーム枠部材２０を覆うように縫いつけたが、勿論シート部材２２、２４、２６が合成樹脂などでできている場合には、溶着で取着するようにすることも勿論可能である。
【００１９】
なお、上記実施例では、前方フレーム枠部材１２の下方フレーム１２ｄならびに後方フレーム枠部材１８の下方フレーム１８ｄが、シート材で被覆されていないことになるが、このままでもよいが、シートがこれらの下方フレーム１２ｄ、１８ｄが露出することによって、破損しないように、図示しないが、被覆することも可能である。
【００２０】
このようにフレーム枠部材２０を構成することによって、撮影に使用する際に、拡げることによってフレーム枠部材２０が自動的に拡開して、元の形状に伸張復帰して多面体が構成される。一方、撮影が終了した後には、フレーム枠部材を折り畳むだけで、簡単に撮影用システムボックス全体をコンパクトに収納することができる。
【００２１】
このように構成される撮影用システムボックス１０の使用方法について、図３および図４に基づいて説明する。
先ず、図４（ａ）〜（ｄ）のように、予め折り畳んでコンパクトに収納した状態の撮影用システムボックスを、撮影の準備の際に、図４（ｄ）→図４（ａ）のように、拡げることによってフレーム枠部材２０のフレーム枠部材１２、１４、１６、１８が自動的に拡開して、元の形状に伸張復帰して、六面体が構成される。
これにより、側面部に光を反射する側方反射シート部材２２、２４が位置し、上面部に照明光を透過拡散可能な上部拡散シート部材２６がセットされた状態となり、図２に示したように、前面に前面開口部２８が、後面に後面開口部３０が、底面に底面開口部３２を有し、内部に撮影空間３４が形成されることになる。
【００２２】
そして、図３に示したように、バック布ロール架台３６に配置したバック布ロール３８から、バックシート部材４０を繰り出して、前方フレーム枠部材１２の底部前方の下方フレーム１２ｄから立ち上がって、後方上部の後方フレーム枠部材１８の上部フレーム１８ｂ至るように、後面開口部３０を介してバックシート部材４０を張設して配置する。
【００２３】
このバックシート部材４０の上面に人物、静物などの被写体４２を配置するとともに、上部拡散シート部材２６の外側上方より、照明スタンド４４から照明光を照射する。これにより、上部拡散シート部材２６を透過した照明光が、撮影空間３４内にて柔らかい光となるとともに、撮影空間３４内部において均一に拡散され、また、側部の側方反射シート部材２２、２４の反射面によって反射され、被写体４２の全面に照明光が均一に拡散照射され、極めて良好な撮影状態が維持された撮影セットが設営されることになる。そして、前面開口部２８を介して、撮影用カメラ４６にて撮影を開始する。
【００２４】
一方、撮影が終了した後には、バックシート部材４０を取り除き、フレーム枠部材２０を、図４（ａ）〜（ｄ）のように、折り畳むだけで、簡単に撮影用システムボックス１０全体をコンパクトに収納することができる。
図５は、本発明の撮影用システムボックスの第２の実施例を示す斜視図である。
図１に示した実施例の撮影用システムボックスと同様な構成部材には、同じ参照番号を付してその詳細な説明を省略する。
【００２５】
この実施例では、六面体の前方面に配置した前方フレーム枠部材１２に、左右側面部の側方反射シート部材２２、２４と同様に、光を均一に反射する反射面を有する反射シートからなる前方カバーシート部材５０を取着してある。
このカバーシート部材５０は、上部フレーム１２ｂの上方部５４より下方に垂下するように取着した脱着自在な覆い部材５６と、同様に、フレーム枠部材１２の下方フレーム１２ｄから上方に延びるように取着した被い部材５６’とから構成されている。これらの被い部材５６の間には、中間に開口用の隙間５４が形成されており、この隙間５４を介して写真機によって内部を撮影できる。また、この前方カバーシート材５０（５６、５６’）が、撮影空間内において前方へ向かう光を反射して、撮影空間内に前方から光りをあてることになるので、さらに良好な撮影環境を保持できるようになっている。
【００２６】
このように前方フレーム枠部材１２の上下に被い部材５６、５６’を設ける代わりに、図６に示したように、左右に被い部材５６、５６’を設けてもよいことは勿論である。
図７は、本発明の撮影用システムボックスの第３の実施例を示す斜視図である。
図１に示した実施例の撮影用システムボックスと同様な構成部材には、同じ参照番号を付してその詳細な説明を省略する。
【００２７】
この実施例のように、バックシート部材６０が、前方フレーム枠部材１２の底部前方の下方フレーム１２ｄから立ち上がって、後方上部の後方フレーム枠部材１８の上部フレーム１８ｂ至るように、予め張設するように取着してもよい。
このように構成することによって、撮影する際には、撮影用システムボックス１０を拡開するだけで、側面部に光を反射する側方反射シート部材２２，２４が位置し、上面部に照明光を透過拡散可能な上部拡散シート部材２６が位置し、その内部に撮影空間３４が形成されるとともに、底部前方のフレーム枠部材１２ｄから立ち上がって、後方上部の上部フレーム１８ｂに至るバックシート部材が、後方側面部を介して張設されセットされた状態となる。
【００２８】
また、撮影が終了した後には、フレーム枠部材を折り畳むだけで、簡単に撮影用システムボックス全体をコンパクトに収納することができる。
以上、本発明の撮影用システムボックスの実施例について説明したが、本発明は何らこれらに限定されるものでない。例えば、上記実施例では、フレーム枠部材で六面体を形成したが、８面体などの多面体を構成することも、長方形、台形で多面体を構成することも勿論可能である。また、上記実施例では、側方反射シート部材２２、２４、ならびに上部拡散シート部材２６をそれぞれの縫い代部を折り返して縫製して、フレーム枠部材２０のフレーム枠部材１２、１４、１６、１８に取着したが、別途フレーム枠部材の形状に合わせた接合布を用意して、これにより、各シート部材を各フレーム枠部材１２、１４、１６、１８に取着することも可能であるなど種々の変更が可能である。
【００２９】
【発明の効果】
本発明の撮影用システムボックスによれば、コンパクトに折り畳み収納した状態から、撮影に使用する際に、拡げることによってフレーム枠部材が自動的に拡開して、元の形状に伸張復帰して多面体が構成される。
これにより、側面部に光を反射する側方反射シート部材が位置し、上面部に照明光を透過拡散可能な上部拡散シート部材がセットされた状態となり、その内部に撮影空間が形成される。
【００３０】
そして、底部前方のフレーム枠部材から立ち上がって、後方上部のフレーム枠部材に至るバックシート部材を後方側面部を介して張設配置できる。このバックシート部材の上面に人物、静物などの被写体を配置するとともに、上部拡散シート部材の外側上方より、照明光を照射することにより、上部拡散シート部材を透過した照明光が、柔らかい光となるとともに、撮影空間内部において均一に拡散され、また、側部の側方反射シート部材によって反射され、被写体全面に照明光が均一に拡散照射され、極めて良好な撮影状態が維持された撮影セットが設営されることになる。
【００３１】
一方、撮影が終了した後には、バックシート部材を取り除き、フレーム枠部材を折り畳むだけで、簡単に撮影用システムボックス全体をコンパクトに収納することができる。
従って、本発明によれば、写真スタジオなどで、人物、静物を撮影する場合に、従来のような反射板、ディフューザー、ならびにバック紙などの機能をもった撮影ボックスを、を簡単に所定位置に配置できるとともに、撮影終了後にこれらを簡単に撤去可能で、運搬の際にも嵩張らない拡開設営ならびに折り畳み収納自在に構成された極めて便利な撮影用システムボックスを提供することができる。
【図面の簡単な説明】
【図１】図１は、本発明の撮影用システムボックスの第１の実施例の分解斜視図である。
【図２】図２は、図１の撮影用システムボックスの拡開した状態を説明する斜視図である。
【図３】図３は、本発明の撮影用システムボックスの使用状態を説明する概略斜視図である。
【図４】図４は、本発明の撮影用システムボックスの収納方法を説明する概略図である。
【図５】図５は、本発明の撮影用システムボックスの第２の実施例を示す斜視図である。
【図６】図６は、本発明の撮影用システムボックスの図５の別の実施例を示す斜視図である。
【図７】図７は、本発明の撮影用システムボックスの第３の実施例を示す斜視図である。
【図８】図８は、従来の撮影の際のセットの状態を説明する斜視図である。
【符号の説明】
１０  撮影用システムボックス
１２  フレーム枠部材
１２ｄ      フレーム枠部材
１２ｄ      下方フレーム
１２ｃ      左側フレーム
１２ｂ      上部フレーム
１２  前方フレーム枠部材
１４  側方フレーム枠部材
１４ｂ      上部フレーム
１４ｃ      前方フレーム
１４ｄ      下方フレーム
１６  側方フレーム枠部材
１６ｂ      上部フレーム
１６ｃ      後方フレーム
１６ｄ      下方フレーム
１８  後方フレーム枠部材
１８ｂ      上部フレーム
１８ｃ      右側フレーム
２０  フレーム枠部材
２２  側方反射シート部材
２２ａ      側方反射シート部材本体
２２ｂ〜２２ｄ    縫い代部
２４  側方反射シート部材
２４ｂ〜２４ｄ    縫い代部
２６  上部拡散シート部材
２６ａ      側方反射シート部材本体
２６ｂ、２６ｃ    縫い代部
２８  前面開口部
３０  後面開口部
３２  底面開口部
３４  撮影空間
３６  バック布ロール架台
３８  バック布ロール
４０  バックシート部材
４２  被写体
４４  照明スタンド
４６  撮影用カメラ
５０  前方カバーシート部材
５２  前方カバー布周囲部材
５６  扉部材
６０  バックシート部材
【図１】
0003673850.tif 000002
【図２】
0003673850.tif 000003
【図３】
0003673850.tif 000004
【図４】
0003673850.tif 000005
【図５】
0003673850.tif 000006
【図６】
0003673850.tif 000007
【図７】
0003673850.tif 000008
【図８】
0003673850.tif 000009